(57)【要約】【課題】フレキシブル配線基板に代えて安価な給電ケーブルを用いて画像読取装置の製造コストを下げ、かつ、その給電ケーブルが、ねじれたり、交差してからまったり、弛んだりする等の不都合を防止する。【解決手段】導電性ケーブルの外周を絶縁膜で被覆した安価な給電ケーブル１３は、一端側を電圧供給部１２の近傍に位置固定に取り付けられた第１給電ケーブル保持体１４ａに保持され、他端側を第１走行体４に取り付けられた第２給電ケーブル保持体１４ｂに保持され、給電ケーブル１３における第１・第２給電ケーブル保持体１４ａ，１４ｂの間の部分がプーリ２１にＵ字形に巻き付けられ、このプーリ２１が第２走行体５と一体に走行する。【選択図】  図１
2006067622.tif 000002
【特許請求の範囲】
【請求項１】
原稿の画像面を照射する光源及び原稿の画像面からの反射光を反射させる第１ミラーを搭載して走行する第１走行体と、前記第１ミラーで反射された原稿の画像面からの反射光を画像読取部に向けてさらに反射させる第２ミラー及び第３ミラーを搭載して走行する第２走行体とを有する画像読取装置において、
一端が電圧供給部に接続されて他端が前記電源に接続され、導電性ケーブルの外周を絶縁膜で被覆した給電ケーブルと、
前記第１・第２走行体の走行方向に沿った位置に配置され、前記電圧供給部の近傍に位置固定に取り付けられて前記給電ケーブルの一端側を保持する第１給電ケーブル保持体、及び、前記第１走行体に取り付けられて前記給電ケーブルの他端側を保持する第２給電ケーブル保持体と、
前記第１・第２走行体の走行方向に沿った方向に回転自在及び前記第２走行体と一体に走行するように設けられ、前記給電ケーブルの前記第１・第２給電ケーブル保持体の間の部分がＵ字形に巻き付けられたプーリと、
を有することを特徴とする画像読取装置。
【請求項２】
前記第１・第２給電ケーブル保持体に、前記給電ケーブルが係合される係合凹溝が形成されていることを特徴とする請求項１記載の画像読取装置。
【請求項３】
前記第１・第２給電ケーブル保持に、前記係合凹溝に係合された前記給電ケーブルを抑える抑え体が設けられていることを特徴とする請求項２記載の画像読取装置。
【請求項４】
隣り合う前記給電ケーブルの間に隙間が設けられていることを特徴とする請求項１ないし３のいずれか一記載の画像読取装置。
【請求項５】
前記プーリは、前記第２走行体に取り付けられていることを特徴とする請求項１ないし４のいずれか一記載の画像読取装置。
【請求項６】
前記プーリは、このプーリの幅方向の両側に位置してこのプーリを保持する位置と保持状態を解除する位置とに弾性変形自在な一対の保持板を供えたプーリ保持体により保持されていることを特徴とする請求項１ないし５のいずれか一記載の画像読取装置。
【請求項７】
前記プーリは、このプーリの幅方向の両側に位置する一対の保持板を備えたプーリ保持体により保持され、前記保持板には、前記プーリの回転中心軸を保持する円筒状保持部が設けられていることを特徴とする請求項１ないし５のいずれか一記載の画像読取装置。
【請求項８】
前記保持板における前記プーリの着脱を行う側の端部には、互いに離反する方向へ傾斜した拡開部が形成されていることを特徴とする請求項６又は７記載の画像読取装置。
【請求項９】
前記プーリは、このプーリの幅方向の両側に位置する一対の保持板を備えたプーリ保持体により保持され、前記プーリは樹脂により形成され、前記プーリ保持体における少なくとも前記プーリの回転中心軸と接触する部分は金属で形成されていることを特徴とする請求項１ないし５のいずれか一記載の画像読取装置。
【請求項１０】
前記プーリの外周部には、前記給電ケーブルが係合されるリング状溝が形成されていることを特徴とする請求項１ないし９のいずれか一記載の画像読取装置。
【請求項１１】
前記プーリの近傍に、前記給電ケーブルをガイドするガイド部材が設けられていることを特徴とする請求項１ないし１０のいずれか一記載の画像読取装置。
【発明の詳細な説明】
【技術分野】
【０００１】
本発明は、原稿の画像読取のために原稿が載置されたコンタクトガラスと平行に走行する第１走行体と第２走行体とを備えた画像読取装置に関する。
【背景技術】
【０００２】
従来、複写機やファクシミリ等で使用されている画像読取装置としては、原稿が載置されるコンタクトガラスと平行に２：１の速度で同じ方向に走行する第１走行体と第２走行体とを備えた構造のものが普及している。第１走行体には、原稿の画像面を照射する光源及び原稿の画像面からの反射光を反射させる第１ミラーが搭載されている。第２走行体には、第１ミラーで反射された原稿の画像面からの反射光を画像読取部に向けてさらに反射させる第２ミラー及び第３ミラーが搭載されている（特許文献１参照）。
【０００３】
このような画像読取装置では、光源が点灯される画像読取時には、レギュレータなどの電圧供給部から光源へ電圧が印加される。そして、この電圧の印加は、電圧供給部と光源との間に接続されたフレキシブル配線基板を介して行われている。
【特許文献１】特開平０１−１０６０２８号公報
【発明の開示】
【発明が解決しようとする課題】
【０００４】
フレキシブル配線基板は高価な部品であり、このようなフレキシブル配線基板を使用することによって画像読取装置の製造コストが高くなる。
【０００５】
フレキシブル配線基板に代えて、導電性ケーブルの外周を絶縁膜で被覆した安価な給電ケーブルを用いれば画像読取装置の製造コストを下げることができる。しかし、単にフレキシブル配線基板に代えて給電ケーブルを用いただけでは、その給電ケーブルが、ねじれたり、交差してからまったり、他の部材と擦れて絶縁膜が摩耗したりするという問題が生じる。
【０００６】
本発明の目的は、フレキシブル配線基板に代えて安価な給電ケーブルを用いることにより画像読取装置の製造コストを下げ、かつ、その給電ケーブルが、ねじれたり、交差してからまったり、他の部材と擦れて絶縁膜が摩耗したりすることを防止することである。
【課題を解決するための手段】
【０００７】
請求項１記載の発明は、原稿の画像面を照射する光源及び原稿の画像面からの反射光を反射させる第１ミラーを搭載して走行する第１走行体と、前記第１ミラーで反射された原稿の画像面からの反射光を画像読取部に向けてさらに反射させる第２ミラー及び第３ミラーを搭載して走行する第２走行体とを有する画像読取装置において、一端が電圧供給部に接続されて他端が前記電源に接続され、導電性ケーブルの外周を絶縁膜で被覆した給電ケーブルと、前記第１・第２走行体の走行方向に沿った位置に配置され、前記電圧供給部の近傍に位置固定に取り付けられて前記給電ケーブルの一端側を保持する第１給電ケーブル保持体、及び、前記第１走行体に取り付けられて前記給電ケーブルの他端側を保持する第２給電ケーブル保持体と、前記第１・第２走行体の走行方向に沿った方向に回転自在及び前記第２走行体と一体に走行するように設けられ、前記給電ケーブルの前記第１・第２給電ケーブル保持体の間の部分がＵ字形に巻き付けられたプーリと、を有する。
【０００８】
したがって、この給電ケーブルは安価な部品であり、光源への電圧印加のためにこの給電ケーブルを用いることによって画像読取装置の製造コストが下がる。そして、この給電ケーブルはその両端側を、第１・第２走行体の走行方向に沿った位置に配置されて電圧供給部の近傍に位置固定に取り付けられた第１給電ケーブル保持体及び第１走行体に取り付けられた第２給電ケーブル保持体により保持され、さらに、給電ケーブルにおける第１・第２給電ケーブル保持体の間の部分がプーリにＵ字形に巻き付けられ、このプーリが第１・第２走行体の走行方向に沿った方向に回転自在及び第２走行体と一体に走行するので、画像読取に伴って第１・第２走行体が走行しても、給電ケーブルは一定の張力を付与された状態に維持され、ねじれたり、交差してからまったり、弛んだり、他の部材と擦れ合って絶縁膜が摩耗したりすることが防止され、給電ケーブルによる電圧印加状態が良好に維持される。
【０００９】
請求項２記載の発明は、請求項１記載の画像読取装置において、前記第１・第２給電ケーブル保持体に、前記給電ケーブルが係合される係合凹溝が形成されている。
【００１０】
したがって、第１・第２給電ケーブル保持体による給電ケーブルの保持を、給電ケーブルを係合凹溝に係合させることにより行うことができ、給電ケーブルを第１・第２給電ケーブル保持体で保持するときの作業効率が高くなる。
【００１１】
請求項３記載の発明は、請求項２記載の画像読取装置において、前記第１・第２給電ケーブル保持体に、前記係合凹溝に係合された前記給電ケーブルを抑える抑え体が設けられている。
【００１２】
したがって、係合凹溝に係合された給電ケーブルを抑え体で抑えることにより、第１・第２給電ケーブル保持体の係合凹溝に係合された給電ケーブルが係合凹溝から外れることが防止され、給電ケーブルがねじれることや、交差してからまることや、弛むことがより一層確実に防止される。
【００１３】
請求項４記載の発明は、請求項１ないし３のいずれか一記載の画像読取装置において、隣り合う前記給電ケーブルの間に隙間が設けられている。
【００１４】
したがって、隣り合う給電ケーブル間において、電圧印加時における電圧波形の影響が防止され、また、リークなどに対する安全性が高くなる。
【００１５】
請求項５記載の発明は、請求項１ないし４のいずれか一記載の画像読取装置において、前記プーリは、前記第２走行体に取り付けられている。
【００１６】
したがって、プーリを第２走行体と一体に走行させるための構造が簡単になる。
【００１７】
請求項６記載の発明は、請求項１ないし５のいずれか一記載の画像読取装置において、前記プーリは、このプーリの幅方向の両側に位置してこのプーリを保持する位置と保持状態を解除する位置とに弾性変形自在な一対の保持板を供えたプーリ保持体により保持されている。
【００１８】
したがって、プーリをプーリ保持体により保持するとき、保持板をプーリの保持状態を解除する位置へ弾性変形させることにより、プーリ保持体へプーリを保持する作業、及び、給電ケーブルをプーリにＵ字形に巻き付けて行う給電ケーブルの配設作業を容易に行える。
【００１９】
請求項７記載の発明は、請求項１ないし５のいずれか一記載の画像読取装置において、前記プーリは、このプーリの幅方向の両側に位置する一対の保持板を備えたプーリ保持体により保持され、前記保持板には、前記プーリの回転中心軸を保持する円筒状保持部が設けられている。
【００２０】
したがって、プーリの回転時における回転中心軸と円筒状保持部との接触面積が広くなり、その接触部分での摩耗が少なくなり、プーリの回転性能が維持され、及び、プーリの耐久性が高くなる。
【００２１】
請求項８記載の発明は、請求項６又は７記載の画像読取装置において、前記保持板における前記プーリの着脱を行う側の端部には、互いに離反する方向へ傾斜した拡開部が形成されている。
【００２２】
したがって、拡開部に力を加えることにより、プーリの保持状態を解除する拡開位置へ保持板を広げる作業を容易に行え、プーリ保持体へプーリを保持する作業、及び、給電ケーブルをプーリにＵ字形に巻き付けて行う給電ケーブルの配設作業をより一層容易に行える。
【００２３】
請求項９記載の発明は、請求項１ないし５のいずれか一記載の画像読取装置において、前記プーリは、このプーリの幅方向の両側に位置する一対の保持板を備えたプーリ保持体により保持され、前記プーリは樹脂により形成され、前記プーリ保持体における少なくとも前記プーリの回転中心軸と接触する部分は金属で形成されている。
【００２４】
したがって、プーリを樹脂により形成し、プーリ保持体における少なくともプーリの回転中心軸と接触する部分を金属で形成することにより、金属で形成された部分の摩耗が低減されるとともに、プーリ保持体におけるプーリとの接触部分を樹脂で形成した場合に比べて樹脂で形成されているプーリの摩耗も低減される。さらに、給電ケーブルと接触するプーリが樹脂で形成されているために漏電などに対する電気的安全性が確保される。
【００２５】
請求項１０記載の発明は、請求項１ないし９のいずれか一記載の画像読取装置において、前記プーリの外周部には、前記給電ケーブルが係合されるリング状溝が形成されている。
【００２６】
したがって、プーリにＵ字形に巻き付けられた給電ケーブルがリング状溝に係合されることにより、プーリの回転時において給電ケーブルがねじれることや、給電ケーブルが交差してからまることが防止される。
【００２７】
請求項１１記載の発明は、請求項１ないし１０のいずれか一記載の画像読取装置において、前記プーリの近傍に、前記給電ケーブルをガイドするガイド部材が設けられている。
【００２８】
したがって、ガイド部材で給電ケーブルをガイドすることにより、プーリの回転時において給電ケーブルがねじれることや、給電ケーブルが交差してからまること等がより一層防止される。
【発明の効果】
【００２９】
請求項１記載の発明の画像読取装置によれば、導電性ケーブルの外周を絶縁膜で被覆した安価な構造の給電ケーブルを使用して電圧供給部から光源へ電圧を印加することにより画像形成装置のコストダウンを図ることができ、そして、給電ケーブルはその両端側を、第１・第２走行体の走行方向に沿った位置に配置されて電圧供給部の近傍に位置固定に取り付けられた第１給電ケーブル保持体及び第１走行体に取り付けられた第２給電ケーブル保持体により保持され、さらに、給電ケーブルにおける第１・第２給電ケーブル保持体の間の部分がプーリにＵ字形に巻き付けられ、このプーリが第１・第２走行体の走行方向に沿った方向に回転自在及び第２走行体と一体に走行するので、画像読取に伴って第１・第２走行体が走行したときに、給電ケーブルに対して一定の張力を付与した状態に維持することができ、それによって、給電ケーブルがねじれたり、交差してからまったり、弛んだり、他の部材と擦れ合って絶縁膜が摩耗したりすることを防止でき、給電ケーブルによる電圧印加状態を良好に維持することができる。
【００３０】
請求項２記載の発明によれば、請求項１記載の画像読取装置において、第１・第２給電ケーブル保持体に、給電ケーブルが係合される係合凹溝が形成されているので、第１・第２給電ケーブル保持体により給電ケーブルの保持を、給電ケーブルを係合凹溝に係合させることにより行うことができ、給電ケーブルを第１・第２給電ケーブル保持体で保持するときの作業効率を高くすることができる。
【００３１】
請求項３記載の発明によれば、請求項２記載の画像読取装置において、第１・第２給電ケーブル保持体に、係合凹溝に係合された給電ケーブルを抑える抑え体が設けられているので、係合凹溝に係合された給電ケーブルを抑え体で抑えることにより、第１・第２給電ケーブル保持体の係合凹溝に係合された給電ケーブルが係合凹溝から外れることを防止でき、給電ケーブルがねじれることや、交差してからまることや、弛むことをより一層確実に防止できる。
【００３２】
請求項４記載の発明によれば、請求項１ないし３のいずれか一記載の画像読取装置において、隣り合う給電ケーブルの間に隙間が設けられているので、隣り合う給電ケーブル間において、電圧印加時における電圧波形の影響を防止でき、また、リークなどに対する安全性を高めることができる。
【００３３】
請求項５記載の発明によれば、請求項１ないし４のいずれか一記載の画像読取装置において、プーリは第２走行体に取り付けられているので、プーリを第２走行体と一体に走行させるための構造を簡単にすることができる。
【００３４】
請求項６記載の発明によれば、請求項１ないし５のいずれか一記載の画像読取装置において、プーリは、このプーリの幅方向の両側に位置してこのプーリを保持する位置と保持状態を解除する位置とに弾性変形自在な一対の保持板を供えたプーリ保持体により保持されているので、プーリをプーリ保持体により保持するとき、保持板をプーリの保持状態を解除する位置へ弾性変形させることにより、プーリ保持体へプーリを保持する作業、及び、給電ケーブルをプーリにＵ字形に巻き付けて行う給電ケーブルの配設作業を容易に行うことができる。
【００３５】
請求項７記載の発明によれば、請求項１ないし５のいずれか一記載の画像読取装置において、プーリは、このプーリの幅方向の両側に位置する一対の保持板を備えたプーリ保持体により保持され、保持板には、プーリの回転中心軸を保持する円筒状保持部が設けられているので、プーリの回転時における回転中心軸と円筒状保持部との接触面積が広くなり、その接触部分での摩耗が少なくなり、プーリの回転性能を維持することができ、及び、プーリの耐久性を高めることができる。
【００３６】
請求項８記載の発明によれば、請求項６又は７記載の画像読取装置において、保持板におけるプーリの着脱を行う側の端部には、互いに離反する方向へ傾斜した拡開部が形成されているので、拡開部に力を加えることにより、プーリの保持状態を解除する拡開位置へ保持板を広げる作業を容易に行うことができ、プーリ保持体へプーリを保持する作業、及び、給電ケーブルをプーリにＵ字形に巻き付けて行う給電ケーブルの配設作業をより一層容易に行うことができる。
【００３７】
請求項９記載の発明によれば、請求項１ないし５のいずれか一記載の画像読取装置において、プーリは、このプーリの幅方向の両側に位置する一対の保持板を備えたプーリ保持体により保持され、プーリは樹脂により形成され、プーリ保持体における少なくともプーリの回転中心軸と接触する部分は金属で形成されているので、プーリを樹脂により形成し、プーリ保持体における少なくともプーリの回転中心軸と接触する部分を金属で形成することにより、金属で形成された部分の摩耗を低減させることができるとともに、プーリ保持体におけるプーリとの接触部分を樹脂で形成した場合に比べて樹脂で形成されているプーリの摩耗を低減させることができ、さらに、給電ケーブルと接触するプーリが樹脂で形成されているために漏電などに対する電気的安全性を確保できる。
【００３８】
請求項１０記載の発明によれば、請求項１ないし９のいずれか一記載の画像読取装置において、プーリの外周部には、給電ケーブルが係合されるリング状溝が形成されているので、プーリにＵ字形に巻き付けられた給電ケーブルがリング状溝に係合されることにより、プーリの回転時において給電ケーブルがねじれることや、交差してからまることを防止できる。
【００３９】
請求項１１記載の発明によれば、請求項１ないし１０のいずれか一記載の画像読取装置において、プーリの近傍に、給電ケーブルをガイドするガイド部材が設けられているので、ガイド部材で給電ケーブルをガイドすることにより、プーリの回転時において給電ケーブルがねじれることや、交差してからまることをより一層防止できる。
【発明を実施するための最良の形態】
【００４０】
本発明の第１の実施の形態を図１ないし図５に基づいて説明する。図１は画像読取装置の要部を示す斜視図、図２は給電ケーブル保持体の構造及びその取付状態を示す斜視図、図３はプーリとプーリ保持体とを示す断面図、図４はガイド部材を示す正面図、図５は画像読取時におけるプーリと給電ケーブルとの移動状態を説明する説明図である。
【００４１】
画像読取装置の本体ケース１内には、原稿が載置されるコンタクトガラス（図示せず）の下側に位置して、一対の第１レール２と一対の第２レール３とが設けられている。第１レール２上には第１走行体４がスライド走行自在に取り付けられ、第２レール３上には第２走行体５がスライド走行自在に取り付けられている。これらの第１走行体４と第２走行体５とには、モータ（図示せず）により駆動されるワイヤ（図示せず）が連結され、このワイヤを介して第１・第２走行体４，５が同一方向へ２：１の速度でスライド走行する。
【００４２】
第１走行体４上には、コンタクトガラス上に載置された原稿の画像面を照射する光源６と、原稿の画像面からの反射光を反射させる第１ミラー７とが搭載されている。
【００４３】
第２走行体５上には、第１ミラー７で反射された原稿の画像面からの反射光をさらに反射させる第２ミラー８と第３ミラー９とが搭載されている。第３ミラー９で反射された反射光は、レンズ１０を通過して画像読取部であるＣＣＤ基板１１上に結像される。
【００４４】
この画像読取装置では、電圧供給部であるレギュレータ１２と光源６との間に、導電性ケーブルの外周を絶縁膜で被覆した給電ケーブル１３が接続されている。給電ケーブル１３の両端側は、第１・第２走行体４，５の走行方向に沿った位置に配置された第１給電ケーブル保持体１４ａと第２給電ケーブル保持体１４ｂに保持されている。第１給電ケーブル保持体１４ａは、レギュレータ１２の近傍に位置して第２レール３に位置固定に取り付けられている。第２給電ケーブル保持体１４ｂは、光源６の近傍に位置して第１走行体４に取り付けられている。
【００４５】
第１給電ケーブル保持体１４ａの第２レール３への取り付けは、図２に示すように、第１給電ケーブル保持体１４ａに形成されたピン部１５を第２レール３に形成された取付穴１５ａに挿入して取付位置の位置決めを行い、第２給電ケーブル保持体１４ａに形成された丸穴１６に挿通させた締付ネジ１７を第２レール３形成されたネジ穴１７ａに螺合させることにより行われている。なお、第２給電ケーブル保持体１４ｂの構造は第１給電ケーブル保持体１４ａの構造と同じであり、この第２給電ケーブル保持体１４ｂの第１走行体４への取り付け構造も第１給電ケーブル保持体１４ａの場合と同じであるので、詳細は省略する。
【００４６】
第１・第２給電ケーブル保持体１４ａ，１４ｂにはそれぞれ、給電ケーブル１３が係合される係合凹溝１８が形成されている。この係合凹溝１８は、隣り合う給電ケーブル１３が隙間を有するように形成されている。
【００４７】
さらに、第１・第２給電ケーブル保持体１４ａ，１４ｂにはそれぞれ、係合凹溝１８に係合された給電ケーブル１３を抑える抑え体１９が設けられている。抑え体１９が給電ケーブル１３を抑えるときには、この抑え体１９は締付ネジ２０により締付固定される。
【００４８】
給電ケーブル１３における第１給電ケーブル保持体１４ａに保持された箇所と第２給電ケーブル保持体１４ｂに保持された箇所との間の部分は、プーリ２１の外周にＵ字形に巻き付けられている。このプーリ２１は、第１・第２走行体４，５の走行方向に沿った方向に回転自在にプーリ保持体２２により保持され、このプーリ保持体２２が第２走行体５に取り付けられている。プーリ２１の外周部には、給電ケーブル１３が係合されるリング状溝２３が形成されている。
【００４９】
プーリ保持体２２は、プーリ２１の幅方向の両側に位置する一対の保持板２４を有し、これらの保持板２４には、プーリ２１の回転中心軸２５が回転自在に嵌合される嵌合穴２６が形成されている。さらに、保持板２４におけるプーリ２１の着脱を行う側の端部には、互いに離反する方向へ傾斜した拡開部２７が形成されている。
【００５０】
ここで、プーリ保持体２２は全体が金属により形成され、保持板２４は、プーリ２１を保持する位置（図３（ａ）参照）と、プーリ２１の保持状態を解除する位置（図３（ｂ）参照）とに弾性変形自在に設けられている。また、プーリ２１は回転中心軸２５を含む全体が樹脂により形成されている。
【００５１】
第２走行体５におけるプーリ２１に近接する位置には、給電ケーブル１３をガイドするガイド部材２８が取り付けられている。
【００５２】
このような構成において、本実施の形態の画像読取装置では、光源６とレギュレータ１２との間に接続されて光源６に電圧を印加する部品として、導電性ケーブルの外周を絶縁膜で被覆した給電ケーブル１３を使用しており、この給電ケーブル１３はフレキシブル配線基板に比べて安価な部品であるので、安価な給電ケーブル１３を用いることによって画像読取装置の製造コストを下げることができる。
【００５３】
ここで、画像読取時に第１・第２走行体４，５が所定の速度比で走行することにより、図５に示すように、給電ケーブル１３はレギュレータ１２側に位置する第１給電ケーブル保持体１４ａで位置固定に保持され、他端側が第１走行体４と共に移動する。この移動時において、第１走行体４上の第２給電ケーブル保持体１４ｂが寸法“Ｘ”移動したときに、第２走行体５上のプーリ２１は寸法“Ｘ／２”移動するので、給電ケーブル１３は第１給電ケーブル保持体１４ａと第２給電ケーブル保持体１４ｂとの間の寸法が一定に維持され、給電ケーブル１３は一定の張力が付与された状態を維持される。このため、この給電ケーブル１３が画像読取に伴って移動しても、給電ケーブル１３がねじれることや、交差してからまることや、弛むことが防止される。
【００５４】
また、隣り合う給電ケーブル１３はその間に隙間が設けられているので、隣り合う給電ケーブル１３間において、電圧印加時の電圧波形の影響を防止することができ、さらに、リークなどに対する安全性を高めることができる。
【００５５】
給電ケーブル１３がプーリ２１にＵ字形に巻き付けられている部分では、給電ケーブル１３の移動に伴ってプーリ２１が回転するので、給電ケーブル１３におけるプーリ２１との接触部分に対して大きな摩擦力が作用することがなく、そのような摩擦によって給電ケーブル１３の絶縁膜が摩耗して絶縁性が損なわれるということが防止される。
【００５６】
プーリ２１を保持するプーリ保持体２２は、弾性変形自在な一対の保持板２４を有し、この保持板２４には拡開部２７が形成されているので、拡開部２７に保持板２４の間隔を広げる向きの力を加えることにより、この保持板２４を図３（ｂ）に示すように容易に変形させることができ、プーリ保持体２２へプーリ２１を保持する作業を簡単に行うことができる。これに伴い、プーリ２１にＵ字形に巻き付けた状態に行う給電ケーブル１３の配設作業も容易に行える。
【００５７】
プーリ保持体２２とプーリ２１との材質について、プーリ保持体２２が金属で形成され、回転中心軸２５を含むプーリ２１の全体が樹脂により形成されているので、金属で形成されているプーリ保持体２２の嵌合穴２６にはほとんど摩耗が発生しない。また、プーリ保持体２２とプーリ２１とを同じ材質である樹脂で形成した場合に比べて、樹脂部材吸着が生じないので、プーリ２１の摩耗を減らすことができる。さらに、給電ケーブル１３と接触するプーリ２１が樹脂で形成されているため、漏電などに対する電気的安全性を確保できる。
【００５８】
つぎに、本発明の第２の実施の形態を図６に基づいて説明する。なお、図１ないし図５に基づいて説明した部分と同じ部分は同じ符号で示し、説明も省略する（以下の実施の形態でも同じ）。
【００５９】
本実施の形態は、プーリ保持体２２ａの形状が異なるもので、他の部分については第１の実施の形態と同じである。本実施の形態におけるプーリ保持体２２ａはその全体が金属で形成され、一対の保持板２４ａは、プーリ２１を保持する位置と保持状態を解除する位置とに弾性変形自在に設けられている。さらに、保持板２４ａには、プーリ２１をプーリ保持体２２ａで保持するときにプーリ２１の回転中心軸２５を保持板２４ａに形成されている嵌合穴２６ａに向けて案内するためのガイド溝２９が打ち出し加工により形成されている。
【００６０】
このような構成において、プーリ２１をプーリ保持体２２ａで保持する場合には、プーリ２１の回転中心軸２５をガイド溝２９の上端部に位置させ、プーリ２１を下方向きに押し込むと、保持板２４ａを拡開方向へ弾性変形させながら回転中心軸２５の先端部がガイド溝２９に沿って移動し、回転中心軸２５が嵌合穴２６ａに嵌合される。これにより、プーリ２１をプーリ保持体２２ａで保持する作業をより一層簡単に行える。
【００６１】
つぎに、本発明の第３の実施の形態を図７及び図８に基づいて説明する。本実施の形態は、プーリ保持体２２ｂの形状が異なるもので、他の部分については第１の実施の形態と同じである。本実施の形態におけるプーリ保持体２２ｂはその全体が金属で形成され、一対の保持板２４ｂは、プーリ２１を保持する位置と保持状態を解除する位置とに弾性変形自在に設けられている。さらに、保持板２４ｂには、プーリ２１の回転中心軸２５を保持する円筒状保持部３０が打ち出し加工により形成されている。
【００６２】
このような構成において、プーリ２１をプーリ保持体２２ｂで保持したとき、プーリ２１の回転中心軸２５が円筒状保持部３０で回転自在に保持される。そして、プーリ２１の回転時における回転中心軸２５と円筒状保持部３０との接触面積が広くなるので、その接触部分での摩耗を減らすことができ、プーリ２１の回転性能を維持し、プーリ２１の長寿命化を図ることができる。
【図面の簡単な説明】
【００６３】
【図１】図１は、本発明の第１の実施の形態の画像読取装置の要部を示す斜視図である。
【図２】図２は、給電ケーブル保持体の構造及びその取付状態を示す斜視図である。
【図３】図３は、プーリとプーリ保持体とを示す断面図であり、（ａ）はプーリがプーリ保持体に保持されている状態、（ｂ）はプーリをプーリ保持体に保持するために保持板を弾性変形させて拡開した状態である。
【図４】図４は、ガイド部材を示す正面図である。
【図５】図５は、画像読取時におけるプーリと給電ケーブルとの移動状態を説明する説明図である。
【図６】図６は、本発明の第２の実施の形態におけるプーリ保持体を示す斜視図である。
【図７】図７は、本発明の第３の実施の形態におけるプーリ保持体を示す斜視図である。
【図８】図８は、プーリ保持体にプーリが保持された状態を示す断面図である。
【符号の説明】
【００６４】
４  第１走行体
５  第２走行体
６  光源
７  第１ミラー
８  第２ミラー
９  第３ミラー
１１  画像読取部
１２  電圧供給部
１３  給電ケーブル
１４ａ  第１給電ケーブル保持体
１４ｂ  第２給電ケーブル保持体
１８  係合凹溝
１９  抑え体
２１  プーリ
２２，２２ａ，２２ｂ  プーリ保持体
２３  リング状溝
２４，２４ａ，２４ｂ  保持板
２５  回転中心軸
２７  拡開部
２８  ガイド部材
３０  円筒状保持部
【図１】
2006067622.tif 000003
【図２】
2006067622.tif 000004
【図３】
2006067622.tif 000005
【図４】
2006067622.tif 000006
【図５】
2006067622.tif 000007
【図６】
2006067622.tif 000008
【図７】
2006067622.tif 000009
【図８】
2006067622.tif 000010